(57)【要約】【課題】加入者線端局装置と加入者線終端装置とが接続され、加入者線終端装置と無線回線終端装置とが接続されているシステムにおいて、ユーザ端末装置からの上り信号を低遅延で加入者線端局装置上部まで届ける。【解決手段】ＯＬＴは、ＵＥが送信した送信要求に応じて、時刻配信網と同期した第１時刻形式で、ＯＮＵの送信時刻を設定する送信許可部と、ＯＮＵの送信時刻を、第１時刻形式から、ＯＮＵで解釈可能な第２時刻形式へ変換する時刻形式変換部とを備え、ＡＰは、ＯＬＴが第２時刻形式へ変換した送信時刻を、第１時刻形式へ変換する時刻形式変換部と、第１の時刻形式へ変換した送信時刻に基づいて、第１時刻形式で、ＵＥの送信時刻を取得する送信許可部とを備え、ＡＰ時刻形式変換部は、ＡＰ送信許可部が取得したＵＥの送信時刻を、第１時刻形式から、第３時刻形式へ変換し、第３の時刻形式へ変換したＵＥの送信時刻を示す情報を、ＵＥへ送信する。【選択図】図２
2019029712.tif 000002
【特許請求の範囲】
【請求項１】
加入者線端局装置と、加入者線終端装置と、無線回線終端装置とを備え、ユーザ端末装置が送信した上り信号を、前記無線回線終端装置と、前記加入者線終端装置とを経由して、前記加入者線端局装置に接続された上位ネットワークへ転送する通信システムであって、
前記加入者線端局装置は、
ユーザ端末装置が送信した送信要求に応じて、時刻配信網と同期した第１の時刻形式で、前記加入者線終端装置の送信時刻を設定するＯＬＴ送信許可部と、
前記加入者線終端装置の前記送信時刻を、前記第１の時刻形式から、前記加入者線終端装置で解釈可能な第２の時刻形式へ変換するＯＬＴ時刻形式変換部とを備え、
前記無線回線終端装置は、
前記加入者線端局装置が前記第２の時刻形式へ変換した前記送信時刻を、前記第１の時刻形式へ変換するＡＰ時刻形式変換部と、
前記ＡＰ時刻形式変換部が前記第１の時刻形式へ変換した前記送信時刻に基づいて、前記時刻配信網と同期した前記第１の時刻形式で、前記ユーザ端末装置の送信時刻を取得するＡＰ送信許可部とを備え、
前記ＡＰ時刻形式変換部は、前記ＡＰ送信許可部が取得した前記ユーザ端末装置の前記送信時刻を、第１の時刻形式から、前記ユーザ端末装置で解釈可能な第３の時刻形式へ変換し、前記第３の時刻形式へ変換した前記ユーザ端末装置の前記送信時刻を示す情報を、前記ユーザ端末装置へ送信する、通信システム。
【請求項２】
加入者線端局装置と、加入者線終端装置と、無線回線終端装置とを備え、ユーザ端末装置が送信した上り信号を、前記無線回線終端装置と、前記加入者線終端装置とを経由して、前記加入者線端局装置に接続された上位ネットワークへ転送する通信システムであって、
前記無線回線終端装置は、
ユーザ端末装置が送信した送信要求に応じて、時刻配信網と同期した第１の時刻形式で、前記加入者線終端装置の送信時刻を設定するＡＰ送信許可部と、
前記加入者線終端装置の前記送信時刻を、前記第１の時刻形式から、前記加入者線終端装置で解釈可能な第２の時刻形式へ変換するＡＰ時刻形式変換部とを備え、
前記加入者線端局装置は、
前記無線回線終端装置が前記第２の時刻形式へ変換した前記送信時刻を、前記第１の時刻形式へ変換するＯＬＴ時刻形式変換部と、
前記ＯＬＴ時刻形式変換部が前記第１の時刻形式へ変換した前記送信時刻に基づいて、前記時刻配信網と同期した前記第１の時刻形式で、前記加入者線終端装置へ、前記ユーザ端末装置が送信した上り信号が到着する時刻を取得するＡＰ送信許可部とを備え、
前記ＯＬＴ時刻形式変換部は、前記到着する時刻を、前記第２の時刻形式へ変換し、
前記ＡＰ時刻形式変換部は、前記加入者線端局装置が送信した前記第２の時刻形式へ変換した前記到着する時刻を、前記第２の時刻形式から、前記第１の時刻形式へ変換し、
前記ＡＰ送信許可部は、前記第１の時刻形式へ変換した前記到着する時刻に基づいて、前記到着する時刻に、前記ユーザ端末装置が送信した上り信号が到着するように、前記ユーザ端末装置の送信時刻を取得し、
前記ＡＰ時刻形式変換部は、前記ユーザ端末装置の前記送信時刻を、前記第１の時刻形式から、前記ユーザ端末装置で解釈可能な第３の時刻形式へ変換し、前記第３の時刻形式へ変換した前記ユーザ端末装置の前記送信時刻を示す情報を、前記ユーザ端末装置へ送信する、通信システム。
【請求項３】
ユーザ端末装置が送信した上り信号を、加入者線終端装置から受信し、受信した前記上り信号を、上位ネットワークへ転送する加入者線端局装置であって、
ユーザ端末装置が送信した送信要求に応じて、時刻配信網と同期した第１の時刻形式で、前記加入者線終端装置の送信時刻を設定するＯＬＴ送信許可部と、
前記加入者線終端装置の前記送信時刻を、前記第１の時刻形式から、前記加入者線終端装置で解釈可能な第２の時刻形式へ変換するＯＬＴ時刻形式変換部とを備える、加入者線端局装置。
【請求項４】
ユーザ端末装置が送信した上り信号を受信し、受信した前記上り信号を、加入者線終端装置を経由して、加入者線端局装置へ送信する無線回線終端装置であって、
前記加入者線端局装置が第２の時刻形式へ変換した送信時刻を、時刻配信網と同期した第１の時刻形式へ変換するＡＰ時刻形式変換部と、
前記ＡＰ時刻形式変換部が前記第１の時刻形式へ変換した前記送信時刻に基づいて、前記第１の時刻形式で、前記ユーザ端末装置の送信時刻を取得するＡＰ送信許可部とを備え、
前記ＡＰ時刻形式変換部は、前記ＡＰ送信許可部が取得した前記ユーザ端末装置の前記送信時刻を、第１の時刻形式から、前記ユーザ端末装置で解釈可能な第３の時刻形式へ変換し、前記第３の時刻形式へ変換した前記ユーザ端末装置の前記送信時刻を示す情報を、前記ユーザ端末装置へ送信する、無線回線終端装置。
【請求項５】
ユーザ端末装置が送信した上り信号を、加入者線終端装置から受信し、受信した前記上り信号を、上位ネットワークへ転送する加入者線端局装置であって、
無線回線終端装置が第２の時刻形式へ変換した送信時刻を、第１の時刻形式へ変換するＯＬＴ時刻形式変換部と、
前記ＯＬＴ時刻形式変換部が前記第１の時刻形式へ変換した前記送信時刻に基づいて、時刻配信網と同期した前記第１の時刻形式で、前記加入者線終端装置へ、前記ユーザ端末装置が送信した上り信号が到着する時刻を取得するＡＰ送信許可部とを備え、
前記ＯＬＴ時刻形式変換部は、前記到着する時刻を、前記第２の時刻形式へ変換する、加入者線端局装置。
【請求項６】
ユーザ端末装置が送信した上り信号を受信し、受信した前記上り信号を、加入者線終端装置を経由して、加入者線端局装置へ送信する無線回線終端装置であって、
ユーザ端末装置が送信した送信要求に応じて、時刻配信網と同期した第１の時刻形式で、前記加入者線終端装置の送信時刻を設定するＡＰ送信許可部と、
前記加入者線終端装置の前記送信時刻を、前記第１の時刻形式から、前記加入者線終端装置で解釈可能な第２の時刻形式へ変換するＡＰ時刻形式変換部とを備え、
前記ＡＰ時刻形式変換部は、前記加入者線端局装置が送信した前記第２の時刻形式へ変換した前記送信時刻を、前記第２の時刻形式から、前記ユーザ端末装置で解釈可能な第３の時刻形式へ変換し、
前記ＡＰ送信許可部は、前記第１の時刻形式の前記加入者線終端装置へ、前記ユーザ端末装置が送信した上り信号が到着する時刻に基づいて、前記到着する時刻に、前記ユーザ端末装置が送信した上り信号が到着するように、前記ユーザ端末装置の送信時刻を取得し、
前記ＡＰ時刻形式変換部は、前記ユーザ端末装置の前記送信時刻を、前記第１の時刻形式から、前記ユーザ端末装置で解釈可能な第３の時刻形式へ変換し、前記第３の時刻形式へ変換した前記ユーザ端末装置の前記送信時刻を示す情報を、前記ユーザ端末装置へ送信する、無線回線終端装置。
【発明の詳細な説明】
【技術分野】
【０００１】
本発明は、通信システム、加入者線端局装置、及び無線回線終端装置に関する。
【背景技術】
【０００２】
図８は、通信システムの一例を示す図である。通信システムは、加入者線端局装置(OLT: Optical Line Terminal)１０と加入者線終端装置(ONU: Optical Network Unit)２０と無線回線終端装置３０とユーザ端末装置(UE: User Equipment)４０とを備える。図８には、無線回線終端装置３０の一例として、ＷｉＦｉアクセスポイントが示されている。
ＯＬＴ１０とＯＮＵ２０とが接続され、ＯＮＵ２０とＷｉ−Ｆｉアクセスポイント３０とが接続される。
ＯＬＴ１０は、光回線送受信器１１と、信号処理部１２とを備える。信号処理部１２は、ワイヤードロジック部１３と、第一の中央演算処理部１４と、第一の送信許可プログラム１５とを備える。
ＯＮＵ２０は、光回線送受信器２１と、送信スケジューラ２２とを備える。
Ｗｉ−Ｆｉアクセスポイント３０は、無線送受信器３３と、信号処理部３４とを備える。信号処理部３４は、第二の中央演算処理部３１と、第二の送信許可プログラム３２とを備える。
ユーザ端末装置４０は、無線送受信器４１と、送信スケジューラ４２とを備える。
【０００３】
ＯＬＴ１０の信号処理部１２の第一の送信許可プログラム１５と、Ｗｉ−Ｆｉアクセスポイント３０の信号処理部３４の第二の送信許可プログラム３２とが協調することで、ユーザ端末装置４０が送信した上り信号を、低遅延でＯＬＴ１０の上部ネットワークまで届けることができる。
ここで、ユーザ端末装置４０が送信する上り信号（ユーザデータ）が影響を受ける可能性のある待ち時間は、ユーザデータが生成されてから、Ｗｉ−Ｆｉアクセスポイント３０がユーザ端末装置４０に送信許可を与えるまでの時間と、ユーザデータがＯＮＵ２０に到着してから、ＯＬＴ１０がＯＮＵ２０に送信許可を与えるまでの時間となる。
Ｗｉ−Ｆｉアクセスポイント３０の第二の送信許可プログラム３２と、ＯＬＴ１０の第一の送信許可プログラム１５とが独立に動作し、第二の送信許可プログラム３２、及び第一の送信許可プログラム１５の各々が、予め決められた一定周期のうちのいずれかの時刻に送信許可を与えると仮定する。この場合、第二の送信許可プログラム３２、及び第一の送信許可プログラム１５の各々が、送信許可を与えた時刻の差によって待ち時間が発生してしまう。
【０００４】
具体的には、ＯＬＴ１０が１０ｍｓごとにＯＮＵ２０に送信許可を与え、Ｗｉ−Ｆｉアクセスポイント３０が１００ｍｓごとにユーザ端末装置４０に送信許可を与えていると仮定する。ＯＬＴ１０、及びＷｉ−Ｆｉアクセスポイント３０の各々が、独立して送信許可を与えると仮定した場合、Ｗｉ−Ｆｉアクセスポイント３０が送信を許可したユーザデータがＯＮＵ２０に到着する直前に、ＯＬＴ１０がＯＮＵ２０に対して送信許可を与えることが生じうる。この場合、Ｗｉ−Ｆｉアクセスポイント３０からＯＮＵ２０に対して送信されたユーザデータは、次のＯＬＴ１０からの送信許可を待つこととなるため、ユーザデータがＯＮＵ２０に到着してから更に最大で１０ｍｓ程度の待ち時間が発生してしまう。
また、ＯＮＵ２０にユーザデータが到着してから、ＯＮＵ２０がＯＬＴ１０へ送信要求を行い、ＯＬＴ１０がＯＮＵ２０から送信要求を受けてから送信許可を行う場合は、送信要求と送信許可の交換のための待ち時間が更に発生してしまう。
このような状況下において、ＯＬＴ１０の第一の送信許可プログラム１５と、Ｗｉ−Ｆｉアクセスポイント３０の第二の送信許可プログラム３２とを連携・協調させることで、この待ち時間を抑制することができる。具体的には、Ｗｉ−Ｆｉアクセスポイント３０がユーザ端末装置４０に送信許可を与える。そして、ある時刻ｔに、Ｗｉ−Ｆｉアクセスポイント３０にユーザデータが到着した直後に、ＯＮＵ２０がＯＬＴ１０に対してユーザデータを送信可能になるように送信許可を与えることで、この待ち時間を抑制することができる。
【０００５】
Ｗｉ−Ｆｉアクセスポイント３０の第二の送信許可プログラム３２と、ＯＬＴ１０の第一の送信許可プログラム１５の協調を実現するためには、ＯＬＴ１０はＷｉ−Ｆｉアクセスポイント３０が、ユーザ端末装置４０に送信許可を与えているタイミングを把握しなくてはならない。
Ｗｉ−Ｆｉアクセスポイント３０が送信許可に係る制御情報をＯＬＴ１０に送信し、Ｗｉ−Ｆｉアクセスポイント３０で把握している時刻とＯＬＴ１０で把握している時刻の差分を差し引く。このようにすることによって、ユーザ端末装置４０がＷｉ−Ｆｉアクセスポイント３０に対して送信許可を要求したことを契機として、Ｗｉ−Ｆｉアクセスポイント３０とＯＬＴ１０とが同期して、上り信号の遅延を低減することができる。
また、別の方法として、ユーザ端末装置４０からＯＬＴ１０に対して送信許可を要求し、ＯＬＴ１０が、ユーザ端末装置４０からの送信許可に係る情報をＷｉ−Ｆｉアクセスポイント３０に通知する。そして、Ｗｉ−Ｆｉアクセスポイント３０は、送信許可に係る情報に基づいて、ユーザ端末装置４０に送信許可を与える。このようにすることによっても、Ｗｉ−Ｆｉアクセスポイント３０とＯＬＴ１０とが同期して上り信号の遅延を低減することができる。
【０００６】
Ｗｉ−Ｆｉアクセスポイントとユーザ端末装置との間で行われるＨＣＦ（hybrid coordination function）と呼ばれるアクセス制御と、ＯＮＵとＯＬＴとの間で行われるＤＢＡ（Dynamic bandwidth allocation）と呼ばれるアクセス制御が併用される環境において、両アクセス制御を連携させることで送信遅延の低減を図る技術が知られている（例えば、非特許文献１参照）。具体的には、Ｗｉ−Ｆｉアクセスポイントは、ＨＣＦにおいて送信許可のタイミングを決定すると、ユーザ端末装置からの送信を待たずに、ＯＮＵを介してＯＬＴに送信要求を行う。ＯＮＵがユーザ端末装置から送信されたデータを受信するよりも前に、ＯＬＴに対して送信要求を行うため、送信遅延を低減できることを示している。
また、ＨＣＦと、ＤＢＡとを連携させることで送信遅延の低減を図る技術が知られている（例えば、非特許文献２参照）。具体的には、ＯＮＵが、ＨＣＦにおいてＷｉ−Ｆｉアクセスポイントが決定した送信時刻情報を収集し、その情報を基にＯＬＴに送信要求を行う。送信時刻情報には送信量も含めるため、送信遅延の低減に加えて、帯域の利用効率向上も図っている。
【先行技術文献】
【非特許文献】
【０００７】
【非特許文献１】Zubair Md. Fadlullah, Hiroki Nishiyama, Nei Kato, Hirotaka Ujikawa, Ken-Ichi Suzuki, and Naoto Yoshimoto, “Smart FiWi Networks: Challenges and Solutions for QoS and Green Communications,” IEEE Intelligent Systems, pp. 86-91, 2013.
【非特許文献２】Zubair Md. Fadlullah, Hiroki Nishiyama, Yuichi Kawamoto, Hirotaka Ujikawa, Ken-Ichi Suzuki, and Naoto Yoshimoto, “Cooperative QoS Control Scheme Based On Scheduling Information in FiWi Access Network,” IEEE Transactions on Emerging Topics in Computing, Vol. 1, No. 2, pp. 375-383, 2013.
【発明の概要】
【発明が解決しようとする課題】
【０００８】
しかしながら、このような構成では、ＯＬＴ１０やＷｉ−Ｆｉアクセスポイント３０において、異なる時刻形式を用いるようになった場合に、ＯＬＴ１０の信号処理部１２の第一の送信許可プログラム１５や、ＷｉＦｉアクセスポイント３０の第二の送信許可プログラム３２を変更する必要が生じてしまう。具体的には、ＥＰＯＮ(Ethernet PON(Passive Optical Network)）に対応したＯＬＴを用いる際には、送信許可として生成するＧＡＴＥフレームに利用する時刻パラメータは、１６ｎｓ粒度でカウントされ、１６ｂｉｔの幅を持つＭＰＣＰ（Multi Point. Control Protocol）タイマが利用される。ここで、ＭＰＣＰタイムスタンプについては、ＩＥＥＥ８０２．３ａｈに記載されている。
一方、ＧＰＯＮ(Gigabit-capable PON)に対応したＯＬＴを用いる際には、送信許可として生成するＢＷｍａｐ（BandWidth Map）に利用する時刻パラメータは、４ｂｙｔｅ単位に１６ｂｉｔの幅を持つ。ＧＰＯＮでは、上りの速度がおよそ２．５Ｇｂｐｓとすると、およそ１２．８ｎｓとなりＥＰＯＮとＧＰＯＮで直接利用可能な時間の粒度が異なる。
【０００９】
ＥＰＯＮ向けに送信許可プログラムを作成した後で、ＧＰＯＮも利用することになった場合に、この時間の粒度の違いによって、ＥＰＯＮ向けの送信許可プログラムと、ＧＰＯＮ向けの送信許可プログラムをそれぞれ用意する必要が生じてしまう。
このように、同一目的であるにもかかわらず、ハードウェアの違いによって複数のプログラムを作成し、開発を継続させると、開発にかかるコストが二重になるだけではなく、一貫性や整合性が取れずに同一サービスでの利用が困難になる。
本発明は、加入者線端局装置と加入者線終端装置とが接続され、加入者線終端装置と無線回線終端装置とが接続されているシステムにおいて、ユーザ端末装置からの上り信号を低遅延で加入者線端局装置まで届けることを目的としている。
【課題を解決するための手段】
【００１０】
本発明の一態様は、加入者線端局装置と、加入者線終端装置と、無線回線終端装置とを備え、ユーザ端末装置が送信した上り信号を、前記無線回線終端装置と、前記加入者線終端装置を経由して、前記加入者線端局装置に接続された上位ネットワークへ転送する通信システムであって、前記加入者線端局装置は、ユーザ端末装置が送信した送信要求に応じて、時刻配信網と同期した第１の時刻形式で、前記加入者線終端装置の送信時刻を設定するＯＬＴ送信許可部と、前記加入者線終端装置の前記送信時刻を、前記第１の時刻形式から、前記加入者線終端装置で解釈可能な第２の時刻形式へ変換するＯＬＴ時刻形式変換部とを備え、前記無線回線終端装置は、前記加入者線端局装置が前記第２の時刻形式へ変換した前記送信時刻を、前記第１の時刻形式へ変換するＡＰ時刻形式変換部と、前記ＡＰ時刻形式変換部が前記第１の時刻形式へ変換した前記送信時刻に基づいて、前記時刻配信網と同期した前記第１の時刻形式で、前記ユーザ端末装置の送信時刻を取得するＡＰ送信許可部とを備え、前記ＡＰ時刻形式変換部は、前記ＡＰ送信許可部が取得した前記ユーザ端末装置の前記送信時刻を、第１の時刻形式から、前記ユーザ端末装置で解釈可能な第３の時刻形式へ変換し、第３の時刻形式へ変換した前記ユーザ端末装置の前記送信時刻を示す情報を、前記ユーザ端末装置へ送信する、通信システムである。
【００１１】
本発明の一態様は、加入者線端局装置と、加入者線終端装置と、無線回線終端装置とを備え、ユーザ端末装置が送信した上り信号を、前記無線回線終端装置と、前記加入者線終端装置を経由して、前記加入者線端局装置に接続された上位ネットワークへ転送する通信システムであって、前記無線回線終端装置は、ユーザ端末装置が送信した送信要求に応じて、時刻配信網と同期した第１の時刻形式で、前記加入者線終端装置の送信時刻を設定するＡＰ送信許可部と、前記加入者線終端装置の前記送信時刻を、前記第１の時刻形式から、前記加入者線終端装置で解釈可能な第２の時刻形式へ変換するＡＰ時刻形式変換部とを備え、前記加入者線端局装置は、前記無線回線終端装置が前記第２の時刻形式へ変換した前記送信時刻を、前記第１の時刻形式へ変換するＯＬＴ時刻形式変換部と、前記ＯＬＴ時刻形式変換部が前記第１の時刻形式へ変換した前記送信時刻に基づいて、前記時刻配信網と同期した前記第１の時刻形式で、前記加入者線終端装置へ、前記ユーザ端末装置が送信した上り信号が到着する時刻を取得するＡＰ送信許可部とを備え、前記ＯＬＴ時刻形式変換部は、前記到着する時刻を、前記第２の時刻形式へ変換し、前記ＡＰ時刻形式変換部は、前記加入者線端局装置が送信した前記第２の時刻形式へ変換した前記到着する時刻を、前記第２の時刻形式から、前記第１の時刻形式へ変換し、前記ＡＰ送信許可部は、前記第１の時刻形式へ変換した前記到着する時刻に基づいて、前記到着する時刻に、ユーザ端末装置が送信した上り信号が到着するように、前記ユーザ端末装置の送信時刻を取得し、前記ＡＰ時刻形式変換部は、前記ユーザ端末装置の前記送信時刻を、前記第１の時刻形式から、前記ユーザ端末装置で解釈可能な第３の時刻形式へ変換し、第３の時刻形式へ変換した前記ユーザ端末装置の前記送信時刻を示す情報を、前記ユーザ端末装置へ送信する、通信システムである。
【００１２】
本発明の一態様は、ユーザ端末装置が送信した上り信号を、加入者線終端装置から受信し、受信した前記上り信号を、上位ネットワークへ転送する加入者線端局装置であって、ユーザ端末装置が送信した送信要求に応じて、時刻配信網と同期した第１の時刻形式で、前記加入者線終端装置の送信時刻を設定するＯＬＴ送信許可部と、前記加入者線終端装置の前記送信時刻を、前記第１の時刻形式から、前記加入者線終端装置で解釈可能な第２の時刻形式へ変換するＯＬＴ時刻形式変換部とを備える、加入者線端局装置である。
【００１３】
本発明の一態様は、ユーザ端末装置が送信した上り信号を受信し、受信した前記上り信号を、加入者線終端装置を経由して、加入者線端局装置へ送信する無線回線終端装置であって、前記加入者線端局装置が第２の時刻形式へ変換した送信時刻を、時刻配信網と同期した第１の時刻形式へ変換するＡＰ時刻形式変換部と、前記ＡＰ時刻形式変換部が前記第１の時刻形式へ変換した前記送信時刻に基づいて、前記第１の時刻形式で、前記ユーザ端末装置の送信時刻を取得するＡＰ送信許可部とを備え、前記ＡＰ時刻形式変換部は、前記ＡＰ送信許可部が取得した前記ユーザ端末装置の前記送信時刻を、第１の時刻形式から、前記ユーザ端末装置で解釈可能な第３の時刻形式へ変換し、第３の時刻形式へ変換した前記ユーザ端末装置の前記送信時刻を示す情報を、前記ユーザ端末装置へ送信する、無線回線終端装置である。
【００１４】
本発明の一態様は、ユーザ端末装置が送信した上り信号を、加入者線終端装置から受信し、受信した前記上り信号を、上位ネットワークへ転送する加入者線端局装置であって、無線回線終端装置が第２の時刻形式へ変換した送信時刻を、第１の時刻形式へ変換するＯＬＴ時刻形式変換部と、前記ＯＬＴ時刻形式変換部が前記第１の時刻形式へ変換した前記送信時刻に基づいて、時刻配信網と同期した前記第１の時刻形式で、前記加入者線終端装置へ、前記ユーザ端末装置が送信した上り信号が到着する時刻を取得するＡＰ送信許可部とを備え、前記ＯＬＴ時刻形式変換部は、前記到着する時刻を、前記第２の時刻形式へ変換する加入者線端局装置である。
【００１５】
本発明の一態様は、ユーザ端末装置が送信した上り信号を受信し、受信した前記上り信号を、加入者線終端装置を経由して、加入者線端局装置へ送信する無線回線終端装置であって、ユーザ端末装置が送信した送信要求に応じて、時刻配信網と同期した第１の時刻形式で、前記加入者線終端装置の送信時刻を設定するＡＰ送信許可部と、前記加入者線終端装置の前記送信時刻を、前記第１の時刻形式から、前記加入者線終端装置で解釈可能な第２の時刻形式へ変換するＡＰ時刻形式変換部とを備え、前記ＡＰ時刻形式変換部は、前記加入者線端局装置が送信した前記第２の時刻形式へ変換した前記送信時刻を、前記第２の時刻形式から、前記ユーザ端末装置で解釈可能な第３の時刻形式へ変換し、前記ＡＰ送信許可部は、前記第１の時刻形式の前記加入者線終端装置へ、前記ユーザ端末装置が送信した上り信号が到着する時刻に基づいて、前記到着する時刻に、前記ユーザ端末装置が送信した上り信号が到着するように、前記ユーザ端末装置の送信時刻を取得し、前記ＡＰ時刻形式変換部は、前記ユーザ端末装置の前記送信時刻を、前記第１の時刻形式から、前記ユーザ端末装置で解釈可能な第３の時刻形式へ変換し、第３の時刻形式へ変換した前記ユーザ端末装置の前記送信時刻を示す情報を、前記ユーザ端末装置へ送信する、無線回線終端装置である。
【発明の効果】
【００１６】
本発明により、加入者線端局装置と加入者線終端装置とが接続され、加入者線終端装置と無線回線終端装置とが接続されているシステムにおいて、ユーザ端末からの上り信号を低遅延で加入者線端局装置まで届けることが可能となる。
【図面の簡単な説明】
【００１７】
【図１】第一の実施形態に係る通信システムの一例を示す図である。
【図２】第一の実施形態に係る通信システムの動作の一例を示すフローチャートである。
【図３】第一の実施形態に係る通信システムの動作の一例を示すシーケンスチャートである。
【図４】通信システムの動作の一例を示すフローチャートである。
【図５】第二の実施形態に係る通信システムの一例を示す図である。
【図６】第二の実施形態に係る通信システムの動作の一例を示すフローチャートである。
【図７】第二の実施形態に係る通信システムの動作の一例を示すシーケンスチャートである。
【図８】通信システムの一例を示す図である。
【発明を実施するための形態】
【００１８】
本発明を実施するための形態を、図面を参照しつつ説明する。以下で説明する実施形態は一例に過ぎず、本発明が適用される実施形態は、以下の実施形態に限られない。
なお、実施形態を説明するための全図において、同一の機能を有するものは同一符号を用い、繰り返しの説明は省略する。
【００１９】
［第一の実施形態］
（通信システム）
図１は、本実施形態に係る通信システムの一例を示す図である。
本実施形態に係る通信システム１０００は、加入者線端局装置(OLT)１００と、加入者線終端装置(ONU)２００と、無線回線終端装置(AP)３００と、ユーザ端末装置(UE)４００とを備える。
通信システム１０００は、ＵＥ４００が送信した上り信号を、ＡＰ３００と、ＯＮＵ２００を経由して、ＯＬＴ１００に接続された上位ネットワークへ転送する。ＯＬＴ１００は、ＵＥ４００が送信した送信要求に応じて、時刻配信網と同期した第１の時刻形式で、ＯＮＵ２００の送信時刻を取得し、取得した送信時刻を設定する。ＯＬＴ１００は、設定したＯＮＵ２００の送信時刻を示す情報を、第１の時刻形式から、ＯＮＵ２００で解釈可能な第２の時刻形式へ変換する。ＯＬＴ１００は、第２の時刻形式へ変換した送信時刻を示す情報を含む送信許可を、ＯＮＵ２００を経由して、ＡＰ３００へ送信する。
【００２０】
ＡＰ３００は、ＯＬＴ１００が送信した送信許可を受信する。ＡＰ３００は、受信した送信許可に含まれる第２の時刻形式へ変換したＯＮＵ２００の送信時刻を示す情報を、第２の時刻形式から、第１の時刻形式へ変換する。ＡＰ３００は、第１の時刻形式へ変換したＯＮＵ２００の送信時刻を示す情報に基づいて、時刻配信網と同期した第１の時刻形式で、ＵＥ４００の送信時刻を取得し、取得した送信時刻を設定する。ＡＰ３００は、設定したＵＥ４００の送信時刻を示す情報を、第１の時刻形式から、ＵＥ４００で解釈可能な第３の時刻形式へ変換する。ＡＰ３００は、第３の時刻形式へ変換したＵＥ４００の送信時刻を示す情報を含む送信許可(TXOP: Transmission Opportunity)を、ＵＥ４００へ送信する。ＵＥ４００は、ＡＰ３００が送信した送信許可を受信する。ＵＥ４００は、受信した送信許可に含まれる第３の時刻形式へ変換したＵＥ４００の送信時刻を示す情報に基づいて、送信時刻を設定する。ＵＥ４００は、設定した送信時刻にしたがって、上り信号を送信する。
【００２１】
（通信システムの構成）
図１を参照して、通信システム１０００を構成するＯＬＴ１００、ＯＮＵ２００、ＡＰ３００、及びＵＥ４００について順次説明する。
（ＯＬＴ）
ＯＬＴ１００は、光回線送受信器１０１と、信号処理部１０２と、記憶部１０６とを備える。光回線送受信器１０１と、信号処理部１０２とは、バスで接続される。また、信号処理部１０２と、記憶部１０６とは、バスで接続される。
光回線送受信器１０１は、通信モジュールによって実現される。光回線送受信器１０１には、光ファイバ５０が接続される。光回線送受信器１０１は、ネットワークを経由して、ＯＮＵ２００などの他の装置と通信を行う。また、光回線送受信器１０１は、ＵＥ４００が送信し、ＯＮＵ２００が転送した送信要求を受信し、受信した送信要求を、信号処理部１０２へ出力する。光回線送受信器１０１は、信号処理部１０２が出力したＯＮＵ２００の送信時刻を示す情報を含む送信許可を、ＯＮＵ２００へ送信する。また、光回線送受信器１０１は、ＵＥ４００が送信し、ＯＮＵ２００が転送した上り信号を受信し、受信した上り信号を、信号処理部１０２へ出力する。
記憶部１０６は、例えば、ＲＡＭ(Random Access Memory)、ＲＯＭ(Read Only Memory)、ＨＤＤ(Hard Disk Drive)、フラッシュメモリ、またはこれらのうち複数が組み合わされたハイブリッド型記憶装置などにより実現される。記憶部１０６には、信号処理部１０２により実行されるプログラム１０７が記憶される。
【００２２】
信号処理部１０２の全部または一部は、例えば、ＣＰＵ(Central Processing Unit)などのプロセッサが記憶部１０６に格納されたプログラム１０７を実行することにより実現される機能部（以下、ソフトウェア機能部と称する）である。なお、信号処理部１０２の全部または一部は、ＬＳＩ(Large Scale Integration)、ＡＳＩＣ(Application Specific Integrated Circuit)、またはＦＰＧＡ(Field-Programmable Gate Array)などのハードウェアにより実現されてもよく、ソフトウェア機能部とハードウェアとの組み合わせによって実現されてもよい。
信号処理部１０２は、例えば、送信許可部１０３と、時刻形式変換部１０５とを備える。
送信許可部１０３は、光回線送受信器１０１が出力した送信要求を取得する。送信許可部１０３は、取得した送信要求に基づいて、時刻配信網と同期した第１の時刻形式で、ＯＮＵ２００の送信時刻を取得し、取得した送信時刻を設定する。具体的には、送信許可部１０３は、ＩＥＥＥ１５８８によって同期を確立している。ＩＥＥＥ１５８８では、基準時刻である１９７０年１月１日００:００:００に対する１ｓ単位の差分を保持し、更に１ｎｓ単位で時間を補正するため、誤差を無視すれば時刻を１ｎｓ単位で正確に保持することができる。送信許可部１０３は、ＩＥＥＥ１５８８で保持が可能な１ｎｓ単位の時刻形式である第１の時刻形式で、ＯＮＵ２００の送信時刻を設定する。送信許可部１０３は、第１の時刻形式で設定したＯＮＵ２００の送信時刻を示す情報を、時刻形式変換部１０５へ出力する。
時刻形式変換部１０５は、送信許可部１０３が出力したＯＮＵ２００の送信時刻を示す情報を取得する。時刻形式変換部１０５は、１６ｎｓ粒度のＭＰＣＰ(Multi-Point Control Protocol)タイマ、ＧＰＯＮの約１２．６ｎｓ粒度のタイマなどの特定の通信方式に紐付いた第２の時刻形式と、ＩＥＥＥ１５８８で用いられるタイムスタンプなどの汎用性の高い第１の時刻形式との間で、送信時刻を変換する。時刻形式変換部１０５は、ＯＮＵ２００の送信時刻を示す情報を、第１の時刻形式から、第２の時刻形式へ変換する。時刻形式変換部１０５は、第２の時刻形式へ変換したＯＮＵ２００の送信時刻を示す情報を含む送信許可を、光回線送受信器１０１へ出力する。
【００２３】
（ＯＮＵ）
ＯＮＵ２００は、光回線送受信器２０１と、送信スケジューラ２０２とを備える。光回線送受信器２０１と、送信スケジューラ２０２とは、バスで接続される。
光回線送受信器２０１は、通信モジュールによって実現される。光回線送受信器２０１には、光ファイバ５０が接続される。光回線送受信器２０１は、ネットワークを経由して、ＯＬＴ１００などの他の装置と通信を行う。光回線送受信器２０１は、ＵＥ４００が送信し、ＡＰ３００が転送した送信要求を受信し、受信した送信要求を、ＯＬＴ１００へ転送する。光回線送受信器２０１は、ＯＬＴ１００が送信した送信許可を、送信スケジューラ２０２へ出力する。光回線送受信器２０１は、ＡＰ２１０が送信した上り信号を、送信スケジューラ２０２へ出力する。光回線送受信器２０１は、送信スケジューラ２０２が出力した上り信号を、ＯＬＴ１００へ送信する。
送信スケジューラ２０２は、光回線送受信器２０１が出力した送信許可を取得する。送信スケジューラ２０２は、取得した送信許可に含まれるＯＮＵ２００の送信時刻を示す情報に基づいて、送信スケジュールを設定する。送信スケジューラ２０２は、光回線送受信器２０１が出力した上り信号を、設定した送信スケジュールにしたがって、光回線送受信器２０１へ出力する。
【００２４】
（ＡＰ）
ＡＰ３００は、無線送受信器３０１と、信号処理部３０２と、記憶部３０６とを備える。無線送受信器３０１と、信号処理部３０２とは、バスで接続される。また、信号処理部３０２と、記憶部３０６とは、バスで接続される。
無線送受信器３０１は、通信モジュールによって実現される。無線送受信器３０１は、ネットワークを経由して、ＵＥ４００と通信を行う。無線送受信器３０１は、ＵＥ４００が送信した送信要求を、信号処理部３０２へ出力する。無線送受信器３０１は、信号処理部３０２が出力した第３の時刻形式のＵＥ４００の送信時刻を示す情報を含む送信許可を、ＵＥ４００へ送信する。無線送受信器３０１は、ＵＥ４００が送信した上り信号を、信号処理部３０２へ出力する。
記憶部３０６は、例えば、ＲＡＭ、ＲＯＭ、ＨＤＤ、フラッシュメモリ、またはこれらのうち複数が組み合わされたハイブリッド型記憶装置などにより実現される。記憶部３０６には、信号処理部３０２により実行されるプログラム３０７が記憶される。
信号処理部３０２の全部または一部は、例えば、ＣＰＵなどのプロセッサが記憶部３０６に格納されたプログラム３０７を実行することにより実現されるソフトウェア機能部である。なお、信号処理部３０２の全部または一部は、ＬＳＩ、ＡＳＩＣ、またはＦＰＧＡなどのハードウェアにより実現されてもよく、ソフトウェア機能部とハードウェアとの組み合わせによって実現されてもよい。
【００２５】
信号処理部３０２は、例えば、送信許可部３０３と、時刻形式変換部３０４とを備える。
時刻形式変換部３０４は、ＯＮＵ２００が出力した第２の時刻形式のＯＮＵ２００の送信時刻を示す情報を含む送信許可を取得する。時刻形式変換部３０４は、送信許可に含まれる第２の時刻形式のＯＮＵ２００の送信時刻を示す情報を、第２の時刻形式から、第１の時刻形式へ変換する。時刻形式変換部３０４は、第１の時刻形式へ変換したＯＮＵ２００の送信時刻を示す情報を、送信許可部３０３へ出力する。
また、時刻形式変換部３０４は、送信許可部３０３が出力した第１の時刻形式のＵＥ４００の送信時刻を示す情報を取得する。時刻形式変換部３０４は、１６ｎｓ粒度のＭＰＣＰタイマ、ＧＰＯＮの約１２．６ｎｓ粒度のタイマなどの特定の通信方式に紐付いた第１の時刻形式と、ＩＥＥＥ１５８８で用いられるタイムスタンプなどの汎用性の高い第３の時刻形式との間で、送信時刻を変換する。時刻形式変換部３０４は、第１の時刻形式のＵＥ４００の送信時刻を示す情報を、第１の時刻形式から、第３の時刻形式へ変換する。時刻形式変換部３０４は、第３の時刻形式へ変換したＵＥ４００の送信時刻を示す情報を含む送信許可を、無線送受信器３０１へ出力する。
送信許可部３０３は、時刻形式変換部３０４が出力した第１の時刻形式へ変換したＯＮＵ２００の送信時刻を示す情報を取得する。送信許可部３０３は、取得したＯＮＵ２００の送信時刻を示す情報に基づいて、時刻配信網と同期した第１の時刻形式で、ＵＥ４００の送信時刻を取得し、取得した送信時刻を設定する。具体的には、送信許可部３０３は、ＯＮＵ２００の送信時刻が経過する前に、ＡＰ３００からＯＮＵ２００へ、上り信号を送信するために、ＵＥ４００が上り信号を送信する時刻を取得し、取得した送信時刻を設定する。送信許可部３０３は、第１の時刻形式で設定したＵＥ４００の送信時刻を示す情報を、時刻形式変換部３０４へ出力する。
【００２６】
（ＵＥ）
ＵＥ４００は、無線送受信器４０１と、送信スケジューラ４０２とを備える。無線送受信器４０１と、送信スケジューラ４０２とは、バスで接続される。
無線送受信器４０１は、通信モジュールによって実現される。無線送受信器４０１は、ネットワークを経由して、ＡＰ３００などの他の装置と通信を行う。無線送受信器４０１は、送信スケジューラ４０２が出力した送信要求を、ＡＰ３００へ送信する。無線送受信器４０１は、ＡＰ３００が出力した送信許可を示す情報を、送信スケジューラ４０２へ出力する。無線送受信器４０１は、送信スケジューラ４０２が出力した上り信号を送信する。
送信スケジューラ４０２は、ユーザがＵＥ４００を操作することによって、送信するデータが発生した場合に、送信要求を作成し、作成した送信要求を、無線送受信器４０１へ出力する。また、送信スケジューラ４０２は、無線送受信器４０１が出力した送信許可を示す情報を取得し、取得した送信許可を示す情報に含まれるＵＥ４００の送信時刻を示す情報に基づいて、送信時刻を設定する。送信スケジューラ４０２は、設定した送信時刻にしたがって、上り信号を、無線送受信器４０１へ出力する。
【００２７】
（通信システムの動作）
図２は、第一の実施形態に係る通信システムの動作の一例を示す図である。図２は、主に、ＯＬＴ１００と、ＡＰ３００との間で実行される通信方法について示す。
（ステップＳ１０１）  ＯＬＴ１００の送信許可部１０３は、時刻情報の同期を開始する。具体的には、送信許可部１０３は、時刻配信網との間で、同期を開始する。
（ステップＳ１０２）  ＯＬＴ１００の送信許可部１０３は、時刻配信網との間で、同期ができているか否かを確認する。
（ステップＳ１０３）  ＯＬＴ１００の送信許可部１０３は、時刻配信網との間で、同期ができている場合には、ステップＳ１０９へ移行する。一方、送信許可部１０３は、時刻配信網との間で、同期ができていない場合には、ステップＳ１０１へ戻り、同期を開始する。ここでは、送信許可部１０３が、時刻配信網との間で、同期ができている場合について、説明を続ける。
（ステップＳ１０４）  ＡＰ３００の送信許可部３０３は、時刻情報の同期を開始する。具体的には、送信許可部３０３は、時刻配信網との間で、同期を開始する。
（ステップＳ１０５）  ＡＰ３００の送信許可部３０３は、時刻配信網との間で、同期ができているか否かを確認する。
【００２８】
（ステップＳ１０６）  ＡＰ３００の送信許可部３０３は、時刻配信網との間で、同期ができている場合には、ステップＳ１０７へ移行する。一方、送信許可部３０３は、時刻配信網との間で、同期ができていない場合には、ステップＳ１０４へ戻り、同期を開始する。ここでは、送信許可部３０３が、時刻配信網との間で、同期ができている場合について、説明を続ける。
（ステップＳ１０７）  ＡＰ３００の無線送受信器３０１は、ＵＥ４００が送信した送信要求を受信する。無線送受信器３０１は、受信した送信要求を、信号処理部３０２へ出力する。信号処理部３０２は、無線送受信器３０１が出力した送信要求を取得する。
（ステップＳ１０８）  信号処理部３０２は、取得した送信要求を、ＯＮＵ２００へ出力する。ＯＮＵ２００の光回線送受信器２０１は、信号処理部３０２が出力した送信要求を、ＯＬＴ１００へ送信する。
（ステップＳ１０９）  ＯＬＴ１００の光回線送受信器１０１は、ＯＮＵ２００が送信した送信要求を、受信する。光回線送受信器１０１は、受信した送信要求を、信号処理部１０２へ出力する。信号処理部１０２の送信許可部１０３は、光回線送受信器１０１が出力した送信要求を取得する。
（ステップＳ１１０）  ＯＬＴ１００の送信許可部１０３は、取得した送信要求に基づいて、時刻配信網と同期した第１の時刻形式で、ＯＮＵ２００の送信時刻を設定する。送信許可部１０３は、第１の時刻形式で設定したＯＮＵ２００の送信時刻を示す情報を、時刻形式変換部１０５へ出力する。時刻形式変換部１０５は、送信許可部１０３が出力したＯＮＵ２００の送信時刻を示す情報を取得し、取得したＯＮＵ２００の送信時刻を示す情報を、第１の時刻形式から、第２の時刻形式へ変換する。時刻形式変換部１０５は、第２の時刻形式へ変換したＯＮＵ２００の送信時刻を示す情報を含む送信許可を、光回線送受信器１０１へ出力する。光回線送受信器１０１は、時刻形式変換部１０５が出力した送信許可を送信する。ＯＬＴ１００が送信した送信許可は、ＯＮＵ２００を経由して、ＡＰ３００へ送信される。
【００２９】
（ステップＳ１１１）  ＡＰ３００の信号処理部１０２の時刻形式変換部３０４は、ＯＮＵ２００が出力した送信許可を取得する。
（ステップＳ１１２）  ＡＰ３００の時刻形式変換部３０４は、取得した送信許可に含まれるＯＮＵ２００の送信時刻を示す情報を、第２の時刻形式から、第１の時刻形式へ変更する。時刻形式変換部３０４は、第１の時刻形式へ変更したＯＮＵ２００の送信時刻を示す情報を、送信許可部３０３へ出力する。送信許可部３０３は、時刻形式変換部３０４が出力した第１の時刻形式へ変更したＯＮＵ２００の送信時刻を示す情報を取得し、取得した送信時刻を示す情報に基づいて、ＵＥ４００の送信時刻を設定する。
その後、送信許可部３０３は、第１の時刻形式のＵＥ４００の送信時刻を示す情報を、時刻形式変換部３０４へ出力する。時刻形式変換部３０４は、送信許可部３０３が出力した第１の時刻形式のＵＥ４００の送信時刻を示す情報を取得し、取得した第１の時刻形式のＵＥ４００の送信時刻を示す情報を、第１の時刻形式から第３の時刻形式へ変換する。時刻形式変換部３０４は、第３の時刻形式へ変換したＵＥ４００の送信時刻を示す情報を含む送信許可を、無線送受信器３０１へ出力する。無線送受信器３０１は、時刻形式変換部３０４が出力した送信許可を、ＵＥ４００へ送信する。
図２に示されるフローチャートにおいて、ステップＳ１０１−Ｓ１０３の処理と、ステップＳ１０４−Ｓ１０６の処理とは、順序を逆にしてもよいし、並行して行われてもよい。
【００３０】
図３は、第一の実施形態に係る通信システムの動作の一例を示すシーケンスチャートである。図３に示される例では、第一の実施形態に係る通信システムを、ＥＰＯＮへ適用した例を示す。ＥＰＯＮにおいてＯＬＴ１００がＯＮＵ２００に通知する時刻は、ＩＥＥＥ８０２．３ａｈに記載の通り、ＭＰＣＰタイムスタンプと呼ばれ、１６ｎｓ単位の３２ｂｉｔカウンタ値であり、このカウンタはＩＥＥＥ１５８８とは独立に動作する。ここでは、この時刻形式を第２の時刻形式という。このカウンタは７０ｓ程度で一周するため、単独で時刻を保持するのは困難である。ＡＰ３００において、ＵＥ４００に送信許可を割り当てる際に利用するのは、９μｓの時間スロットを基準とした時刻形式であり、ここではこの時刻形式を第３の時刻形式という。
（ステップＳ２０１）  ＵＥ４００の送信スケジューラ４０２は、ユーザがＵＥ４００を操作することによって、送信するデータが発生した場合に、送信要求を作成し、作成した送信要求を、無線送受信器４０１へ出力する。無線送受信器４０１は、送信スケジューラ４０２が出力した送信要求を、ＡＰ３００へ送信する。ここで、送信要求には、通信量を示す情報が含まれてもよい。
（ステップＳ２０２）  ＡＰ３００の無線送受信器３０１は、ＵＥ４００が送信した送信要求を受信し、受信した送信要求を、信号処理部３０２へ出力する。信号処理部３０２は、無線送受信器３０１が出力した送信要求を取得し、取得した送信要求を、ＯＮＵ２００へ出力する。
（ステップＳ２０３）  ＯＮＵ２００の光回線送受信器２０１は、ＡＰ３００が出力した送信要求を受信し、受信した送信要求を、ＯＬＴ１００へ転送する。
（ステップＳ２０４）  ＯＬＴ１００の光回線送受信器１０１は、ＯＮＵ２００が転送した送信要求を受信し、受信した送信要求を、信号処理部１０２へ出力する。信号処理部１０２の送信許可部１０３は、光回線送受信器１０１が出力した送信要求を取得し、取得した送信要求に基づいて、時刻配信網と同期した第１の時刻形式で、ＯＮＵ２００の送信時刻を設定する。送信許可部１０３は、第１の時刻形式で設定したＯＮＵ２００の送信時刻を示す情報を、時刻形式変換部１０５へ出力する。
【００３１】
（ステップＳ２０５）  ＯＬＴ１００の時刻形式変換部１０５は、送信許可部１０３が出力した第１の時刻形式で設定したＯＮＵ２００の送信時刻を示す情報を取得し、取得した第１の時刻形式のＯＮＵ２００の送信時刻を示す情報に基づいて、ＯＮＵ２００の送信時刻を、第１の時刻形式から、第２の時刻形式へ変換する。時刻形式変換部１０５は、第２の時刻形式へ変換したＯＮＵ２００の送信時刻を示す情報を含む送信許可を、光回線送受信器１０１へ出力する。ここで、送信許可の一例は、グラント(GRANT)である。ＧＲＡＮＴは、ＭＰＣＰタイムスタンプを基としたスタートタイム(starttime)、及び長さ(length)である。
（ステップＳ２０６）  ＯＬＴ１００の光回線送受信器１０１は、時刻形式変換部１０５が出力した送信許可を取得し、取得した送信許可を、ＯＮＵ２００へ送信する。
（ステップＳ２０７）  ＯＮＵ２００の光回線送受信器２０１は、ＯＬＴ１００が送信した送信許可を受信し、受信した送信許可に含まれる第２の時刻形式のＯＮＵ２００の送信時刻を示す情報を、送信スケジューラ２０２へ出力する。送信スケジューラ２０２は、光回線送受信器２０１が出力した第２の時刻形式のＯＮＵ２００の送信時刻を示す情報を取得し、取得した第２の時刻形式のＯＮＵ２００の送信時刻を示す情報に基づいて、ＯＮＵ２００の送信時刻を設定する。光回線送受信器２０１は、ＡＰ３００へ、送信許可を送信する。つまり、ＯＮＵ２００は、ＯＬＴ１００が送信したＧＲＡＮＴを、ＡＰ３００へ転送する。
（ステップＳ２０８）  ＡＰ３００の信号処理部３０２の時刻形式変換部３０４は、ＯＮＵ２００が出力した送信許可に含まれる第２の時刻形式のＯＮＵ２００の送信時刻を示す情報を取得し、取得した第２の時刻形式のＯＮＵ２００の送信時刻を示す情報に基づいて、第２の時刻形式を、第１の時刻形式へ変換する。時刻形式変換部３０４は、第１の時刻形式のＯＮＵ２００の送信時刻を示す情報を、送信許可部３０３へ出力する。
（ステップＳ２０９）  送信許可部３０３は、時刻形式変換部３０４が出力した第１の時刻形式のＯＮＵ２００の送信時刻を示す情報を取得し、取得した第１の時刻形式のＯＮＵ２００の送信時刻を示す情報に基づいて、ＵＥ４００の送信時刻を設定する。
（ステップＳ２１０）  ＡＰ３００の時刻形式変換部３０４は、第１の時刻形式のＵＥ４００の送信時刻を示す情報に基づいて、第１の時刻形式を、第３の時刻形式へ変換する。時刻形式変換部３０４は、第３の時刻形式のＵＥ４００の送信時刻を示す情報を含む送信許可を、無線送受信器３０１へ出力する。ここで、送信許可の一例は、ＴＸＯＰである。
【００３２】
（ステップＳ２１１）  ＡＰ３００の無線送受信器３０１は、時刻形式変換部３０４が出力した送信許可を取得し、取得した送信許可を、ＵＥ４００へ送信する。
図３に示されるシーケンスチャートでは、ＯＬＴ１００をＥＰＯＮのＯＬＴとして、ＯＮＵ２００が送受信するフレーム(GRANT)に付与する時刻を第２の時刻形式とした場合について説明したが、この例に限られない。例えば、ＯＬＴ１００をＧＰＯＮのＯＬＴとして、ＯＮＵ２００が送受信するフレーム(BWmap)に付与する時刻を、ＩＴＵ―Ｔ  Ｇ．９８４シリーズの第２ａの時刻形式などの異なる時刻形式を用いるようにしてもよい。
【００３３】
（本実施形態に係る通信システムの効果）
本実施形態に係る通信システムの効果について説明する。本実施形態に係る通信システムの効果について説明するために、従来の通信システムの動作について説明する。
図４は、通信システムの動作の一例を示す図である。
（ステップＳ３０１）  ＯＬＴ１０の信号処理部１２は、時刻情報の同期を開始する。具体的には、信号処理部１２は、時刻配信網との間で、同期を開始する。
（ステップＳ３０２）  ＯＬＴ１０の信号処理部１２は、時刻配信網との間で、同期ができているか否かを確認する。
（ステップＳ３０３）  ＯＬＴ１０の信号処理部１２は、時刻配信網との間で、同期ができている場合には、ステップＳ３０９へ移行する。一方、信号処理部１２は、時刻配信網との間で、同期ができていない場合には、ステップＳ３０１へ戻り、同期を開始する。ここでは、信号処理部１２が、時刻配信網との間で、同期ができている場合について、説明を続ける。
（ステップＳ３０４）  ＡＰ３０の信号処理部３４は、時刻情報の同期を開始する。具体的には、信号処理部３４は、時刻配信網との間で、同期を開始する。
（ステップＳ３０５）  ＡＰ３０の信号処理部３４は、時刻配信網との間で、同期ができているか否かを確認する。
【００３４】
（ステップＳ３０６）  ＡＰ３０の信号処理部３４は、時刻配信網との間で、同期ができている場合には、ステップＳ３０７へ移行する。一方、信号処理部３４は、時刻配信網との間で、同期ができていない場合には、ステップＳ３０４へ戻り、同期を開始する。ここでは、信号処理部３４が、時刻配信網との間で、同期ができている場合について、説明を続ける。
（ステップＳ３０７）  ＡＰ３０の無線送受信器３３は、ＵＥ４００が送信した送信要求を受信する。無線送受信器３３は、受信した送信要求を、信号処理部３４へ出力する。信号処理部３４は、無線送受信器３３が出力した送信要求を取得する。
（ステップＳ３０８）  ＡＰ３０の信号処理部３４は、取得した送信要求を、ＯＮＵ２０へ送信する。ＯＮＵ２０は、ＡＰ３０が送信した送信要求を取得し、取得した送信要求を、ＯＬＴ１０へ、送信する。
（ステップＳ３０９）  ＯＬＴ１０の光回線送受信器１１は、ＯＮＵ２０が送信した送信要求を受信する。光回線送受信器１１は、受信した送信要求を、信号処理部１２へ出力する。信号処理部１２は、光回線送受信器１１が出力した送信要求を取得する。
（ステップＳ３１０）  ＯＬＴ１０の信号処理部１２は、取得した送信要求に基づいて、時刻配信網と同期した第１ａの時刻形式で、ＯＮＵ２０の送信時刻を設定し、設定したＯＮＵ２０の送信時刻を示す情報を含む送信許可を、光回線送受信器１１へ出力する。光回線送受信器１１は、信号処理部１２が出力した送信許可を、ＯＮＵ２０へ送信する。
【００３５】
（ステップＳ３１１）  ＡＰ３０の信号処理部３４は、第２の時刻形式のＵＥ４００の送信時刻を示す情報を含む送信許可を、ＵＥ４００へ送信する。
図４に示されるフローチャートにおいて、ステップＳ３０１−Ｓ３０３の処理と、ステップＳ３０４−Ｓ３０６の処理とは、順序を逆にしてもよいし、並行して行われてもよい。
図４に示される通信システムの動作の一例によれば、ＯＮＵ２０は、時刻形式１ａで指定された時刻までに、ＡＰ３０を経由して、ＵＥ４０から上り信号が送信された場合、つまり時刻形式１ａで指定されたＯＮＵ２０の送信時刻よりも、時刻形式２で指定したＵＥ４０の送信時刻が早い場合、ＯＮＵ２０が更にＯＬＴ１０に対して送信要求を行う必要がないため、ＵＥ４０が送信した上り信号の遅延を低減することができる。しかし、時刻形式１ａで指定されるＯＮＵ２０の送信時刻と、時刻形式２で指定されるＵＥ４０の送信時刻とは独立であるため、必ずしもこの状態を満足できるとは限らない。
一方、第一の実施形態に係る通信システムによれば、ＡＰ３００の信号処理部３０２が、ＯＮＵ２００を介して、ＯＬＴ１００の信号処理部１０２へ送信要求を通知する。ＯＬＴ１００の送信許可部１０３は、第１の時刻形式でＯＮＵ２００の送信時刻を設定する。ＯＬＴ１００の時刻形式変換部１０５は、ＯＮＵ２００が解釈できるように、第１の時刻形式のＯＮＵ２００の送信時刻を、第２の時刻形式へ変換する。
【００３６】
ＯＬＴ１００の時刻形式変換部１０５は、第２の時刻形式のＯＮＵ２００の送信時刻を示す情報を含む送信許可を、光回線送受信器１０１へ出力する。光回線送受信器１０１は、時刻形式変換部１０５が出力した送信許可を送信する。ＯＬＴ１００が送信した送信許可は、ＯＮＵ２００を経由して、ＡＰ３００へ送信される。
ＡＰ３００は、ＯＬＴ１００が送信した送信許可に含まれるＯＮＵ２００の送信時刻を示す情報を、第２の時刻形式から、第１の時刻形式へ変換する。ＡＰ３００は、第１の時刻形式へ変換したＯＮＵ２００の送信時刻を示す情報に基づいて、ＵＥ４００の送信時刻を設定する。ＡＰ３００は、設定したＵＥ４００の送信時刻を、第１の時刻形式から、第３の時刻形式へ変換する。ＡＰ３００は、第３の時刻形式へ変換したＵＥ４００の送信時刻を示す情報を含む送信許可を、ＵＥ４００へ送信する。
ＡＰ３００の送信許可部３０３は時刻配信網と同期し、ＯＬＴ１００の送信許可部１０３は時刻配信網と同期している。よって、ＡＰ３００の送信許可部３０３と、ＯＬＴ１００の送信許可部１０３との間は、同期がとれている。このため、ＡＰ３００は、ＯＬＴ１００が送信した送信許可に含まれるＯＮＵ２００の送信時刻を把握することができる。ＡＰ３００は、ＯＮＵ２００の送信時刻に間に合うように、ＵＥ４００の送信時刻を設定することができる。ＡＰ３００は、設定したＵＥ４００の送信時刻を示す情報を含む送信許可を、ＵＥ４００へ送信することができる。ＵＥ４００へ送信する送信許可に含める時刻情報は、例えば、ＩＥＥＥ８０２．１１に規定された３２μｓ単位の８ｂｉｔの値で指定される第３の時刻形式とする。このように構成することによって、ＵＥ４００が送信する上り信号の遅延を低減することができる。
ＡＰ３００の送信許可部３０３は、ＯＮＵ２００の送信時刻までに、ＵＥ４００が送信する上り信号が到着するように送信時刻を算出することができる。これにより、ＵＥ４００が送信した上り信号を、ＡＰ３００でバッファする必要がなくなるため、ＡＰ３００のバッファを削減することが可能となる。
【００３７】
前述した実施形態において、ＡＰ３００、つまり下部側装置に、時刻形式変換部３０４として、ＣＰＵを動作させるプログラムを作成するようにしてもよい。これにより、特定の通信方式に依らずに、下位側のプログラムと上位側のプログラムとを連携・協調させることができる。
本実施形態に係る通信システムによれば、伝送方式に依らずに共通的に時間を扱うための吸収層として時刻形式変換部を設けることで、同一のプログラムを再利用し、低遅延性を達成するプログラムを経済的に開発・保守することができる。
同一の送信許可プログラムによって、複数種類のＯＬＴを動作させることができるため、ＯＬＴに一貫性を保つことができ、装置ごとに場合分けされた保守を行わなくて済むため、保守のための学習コストを低く保つことができる。
【００３８】
［第２の実施形態］
（通信システム）
図５は、第二の実施形態に係る通信システムの一例を示す図である。
本実施形態に係る通信システム１０００は、前述した第一の実施形態に係る通信システムと同様に、ＯＬＴ１００と、ＯＮＵ２００と、ＡＰ３００と、ＵＥ４００とを備える。
通信システム１０００は、ＵＥ４００が送信した上り信号を、ＡＰ３００と、ＯＮＵ２００を経由して、ＯＬＴ１００に接続された上位ネットワークへ転送する。
上り信号の送信に先立って、ＡＰ３００は、ＵＥ４００が送信した送信要求に応じて、時刻配信網と同期した第１の時刻形式で、ＯＮＵ２００の送信時刻を取得し、取得した送信時刻を設定する。ＡＰ３００は、設定したＯＮＵ２００の送信時刻を示す情報を、第１の時刻形式から、ＯＮＵ２００で解釈可能な第２の時刻形式へ変換する。ＡＰ３００は、第２の時刻形式へ変換したＯＮＵ２００の送信時刻を示す情報を含む送信許可を、ＯＮＵ２００を経由して、ＯＬＴ１００へ送信する。
ＯＬＴ１００は、ＡＰ３００が送信した送信許可を受信する。ＯＬＴ１００は、受信した送信許可に含まれる第２の時刻形式へ変換したＯＮＵ２００の送信時刻を示す情報を、第２の時刻形式から、第１の時刻形式へ変換する。ＯＬＴ１００は、第１の時刻形式へ変換したＯＮＵ２００の送信時刻を示す情報に基づいて、ＯＮＵ２００に、ＵＥ４００が送信した上り信号が到着する時刻（以下、「到着時刻」という）を算出し、算出した到着時刻を取得し、取得した送信時刻を設定する。ＯＬＴ１００は、設定した到着時刻を、第１の時刻形式から、第２の時刻形式へ変換する。ＯＬＴ１００は、第２の時刻形式へ変換した到着時刻を示す情報を含む送信許可を、ＯＮＵ２００へ送信する。ＯＮＵ２００は、ＯＬＴ１００が送信した送信許可を、ＡＰ３００へ送信する。
ＡＰ３００は、ＯＮＵ２００が送信した送信許可を受信し、受信した送信許可に含まれる到着時刻を示す情報を、第２の時刻形式から、第１の時刻形式へ変換する。ＡＰ３００は、第１の時刻形式へ変換した到着時刻を取得し、取得した送信時刻を設定する。ＡＰ３００は、第１の時刻形式へ変換した到着時刻に、ＵＥ４００が送信した上り信号が到着するように、ＵＥ４００の上り信号の送信時刻を取得し、取得した送信時刻を設定する。ＡＰ３００は、設定したＵＥ４００の上り信号の送信時刻を示す情報を、第１の時刻形式から、ＵＥ４００で解釈可能な第３の時刻形式へ変換する。ＡＰ３００は、第３の時刻形式へ変換したＵＥ４００の送信時刻を示す情報を含む送信許可を、ＵＥ４００へ送信する。
ＵＥ４００は、ＡＰ３００が送信した送信許可を受信する。ＵＥ４００は、受信した送信許可に含まれる第３の時刻形式へ変換したＵＥ４００の送信時刻を示す情報に基づいて、送信時刻を設定する。ＵＥ４００は、設定した送信時刻にしたがって、上り信号を送信する。
【００３９】
（通信システムの構成）
図５を参照して、通信システム１０００を構成するＯＬＴ１００、ＯＮＵ２００、ＡＰ３００、及びＵＥ４００のうち、第一の実施形態に係る通信システムとは異なるＯＬＴ１００、及びＡＰ３００について順次説明する。
（ＯＬＴ）
ＯＬＴ１００は、光回線送受信器１０１と、信号処理部１０８と、記憶部１０６とを備える。光回線送受信器１０１と、信号処理部１０８とは、バスで接続される。また、信号処理部１０８と、記憶部１０６とは、バスで接続される。
光回線送受信器１０１は、通信モジュールによって実現される。光回線送受信器１０１には、光ファイバが接続される。光回線送受信器１０１は、ネットワークを経由して、ＯＮＵ２００などの他の装置と通信を行う。光回線送受信器１０１は、ＡＰ３００が送信し、ＯＮＵ２００が転送した送信許可を受信し、受信した通信許可を、信号処理部１０８へ出力する。光回線送受信器１０１は、信号処理部１０８が出力した送信許可を、ＯＮＵ２００へ送信する。また、光回線送受信器１０１は、ＵＥ４００が送信し、ＯＮＵ２００が転送した上り信号を受信し、受信した上り信号を、信号処理部１０８へ出力する。
記憶部１０６は、例えば、ＲＡＭ、ＲＯＭ、ＨＤＤ、フラッシュメモリ、またはこれらのうち複数が組み合わされたハイブリッド型記憶装置などにより実現される。記憶部１０６には、信号処理部１０８によって実行されるプログラム１１１が記憶される。
【００４０】
信号処理部１０８の全部または一部は、例えば、ＣＰＵなどのプロセッサが記憶部１０６に格納されたプログラム１１１を実行することにより実現されるソフトウェア機能部である。なお、信号処理部１０８の全部または一部は、ＬＳＩ、ＡＳＩＣ、またはＦＰＧＡなどのハードウェアにより実現されてもよく、ソフトウェア機能部とハードウェアとの組み合わせによって実現されてもよい。
信号処理部１０８は、例えば、送信許可部１０９と、時刻形式変換部１１０とを備える。
時刻形式変換部１１０は、光回線送受信器１０１が出力した送信許可を取得する。時刻形式変換部１１０は、第１の時刻形式と、第２の時刻形式との間で、送信時刻を変換する。時刻形式変換部１１０は、送信許可に含まれる第２の時刻形式のＯＮＵ２００の送信時刻を示す情報を、第２の時刻形式から、第１の時刻形式へ変換する。時刻形式変換部１１０は、第１の時刻形式へ変換したＯＮＵ２００の送信時刻を示す情報を、送信許可部１０９へ出力する。
また、時刻形式変換部１１０は、送信許可部１０９が出力した到着時刻を示す情報を取得する。時刻形式変換部１１０は、取得した到着時刻を示す情報を、第１の時刻形式から、第２の時刻形式へ変換する。時刻形式変換部１１０は、第２の時刻形式へ変換した到着時刻を示す情報を含む送信許可を、光回線送受信器１０１へ出力する。
送信許可部１０９は、時刻形式変換部１１０が出力した第１の時刻形式へ変換したＯＮＵ２００の送信時刻を示す情報を取得する。送信許可部１０９は、取得した第１の時刻形式へ変換したＯＮＵ２００の送信時刻を示す情報に基づいて、到着時刻を算出し、算出した到着時刻を取得し、取得した送信時刻を設定する。送信許可部１０９は、設定した到着時刻を示す情報を、時刻形式変換部１１０へ出力する。
【００４１】
（ＡＰ）
ＡＰ３００は、無線送受信器３０１と、信号処理部３０８と、記憶部３０６とを備える。無線送受信器３０１と、信号処理部３０８とは、バスで接続される。また、信号処理部３０８と、記憶部３０６とは、バスで接続される。
無線送受信器３０１は、通信モジュールによって実現される。無線送受信器３０１は、ネットワークを経由して、ＵＥ４００と通信を行う。
無線送受信器３０１は、ＵＥ４００が送信した送信要求を、信号処理部３０８へ出力する。無線送受信器３０１は、ＯＮＵ２００が送信した送信許可を、信号処理部３０８へ出力する。無線送受信器３０１は、信号処理部３０８が出力した第３の時刻形式のＵＥ４００の送信時刻を示す情報を含む送信許可を、ＵＥ４００へ送信する。無線送受信器３０１は、ＵＥ４００が送信した上り信号を、信号処理部３０８へ出力する。
記憶部３０６は、例えば、ＲＡＭ、ＲＯＭ、ＨＤＤ、フラッシュメモリ、またはこれらのうち複数が組み合わされたハイブリッド型記憶装置などにより実現される。記憶部３０６には、信号処理部３０８により実行されるプログラム３１１が記憶される。
【００４２】
信号処理部３０８の全部または一部は、例えば、ＣＰＵなどのプロセッサが記憶部３０６に格納されたプログラム３１１を実行することにより実現されるソフトウェア機能部である。なお、信号処理部３０８の全部または一部は、ＬＳＩ、ＡＳＩＣ、またはＦＰＧＡなどのハードウェアにより実現されてもよく、ソフトウェア機能部とハードウェアとの組み合わせによって実現されてもよい。
信号処理部３０８は、例えば、送信許可部３０９と、時刻形式変換部３１０とを備える。
送信許可部３０９は、無線送受信器３０１が出力した送信要求を取得する。送信許可部３０９は、取得した送信要求に基づいて、時刻配信網と同期した第１の時刻形式で、ＯＮＵ２００の送信時刻を取得し、取得した送信時刻を設定する。送信許可部３０９は、第１の時刻形式で設定したＯＮＵ２００の送信時刻を示す情報を、時刻形式変換部３１０へ出力する。
送信許可部３０９は、時刻形式変換部３１０が出力した第１の時刻形式の到着時刻を示す情報に基づいて、その第１の時刻形式の到着時刻に、ＵＥ４００が送信した上り信号が到着するように、ＵＥ４００の上り信号の送信時刻を取得し、取得した送信時刻を設定する。送信許可部３０８は、設定したＵＥ４００の上り信号の送信時刻を示す情報を、時刻形式変換部３１０へ出力する。
時刻形式変換部３１０は、送信許可部３０９が出力したＯＮＵ２００の送信時刻を示す情報を取得する。時刻形式変換部３１０は、第１の時刻形式と、第２の時刻形式とを変換する。時刻形式変換部３１０は、ＯＮＵ２００の送信時刻を示す情報を、第１の時刻形式から、第２の時刻形式へ変換する。時刻形式変換部３１０は、第２の時刻形式へ変換したＯＮＵ２００の送信時刻を示す情報を、ＯＮＵ２００へ出力する。
時刻形式変換部３１０は、ＯＮＵ２００が出力した送信許可に含まれる第２の時刻形式の到着時刻を示す情報を、第２の時刻形式から、第１の時刻形式へ変換する。時刻形式変換部３１０は、第１の時刻形式へ変換した到着時刻を示す情報を、送信許可部３０９へ出力する。
時刻形式変換部３１０は、送信許可部３０９が出力したＵＥ４００の上り信号の送信時刻を示す情報を、第１の時刻形式から、ＵＥ４００で解釈可能な第３の時刻形式へ変換する。時刻形式変換部３１０は、第３の時刻形式へ変換したＵＥ４００の上り信号の送信時刻を示す情報を含む送信許可を、無線送受信器３０１へ出力する。
【００４３】
（通信システムの動作）
図６は、第二の実施形態に係る通信システムの動作の一例を示す図である。図６は、主に、ＯＬＴ１００と、ＡＰ３００との間で実行される通信方法について示す。
ステップＳ４０１−Ｓ４０７は、図２のステップＳ１０１−Ｓ１０７を適用できる。
（ステップＳ４０８）  ＡＰ３００の信号処理部３０８の送信許可部３０９は、取得した送信要求に基づいて、時刻配信網と同期した第１の時刻形式で、ＯＮＵ２００の送信時刻を設定する。
（ステップＳ４０９）  送信許可部３０９は、第１の時刻形式で設定したＯＮＵ２００の送信時刻を示す情報を、時刻形式変換部３１０へ出力する。時刻形式変換部３１０は、送信許可部３０９が出力したＯＮＵ２００の送信時刻を示す情報を取得し、取得したＯＮＵ２００の送信時刻を示す情報を、第１の時刻形式から、第２の時刻形式へ変換する。時刻形式変換部３１０は、第２の時刻形式へ変換したＯＮＵ２００の送信時刻を示す情報を含む送信許可を、ＯＮＵ２００へ出力する。ＯＮＵ２００は、ＡＰ３００が出力した送信許可を、ＯＬＴ１００へ送信する。
（ステップＳ４１０）  ＯＬＴ１００の光回線送受信器１０１は、ＡＰ３００が送信した送信許可を受信する。光回線送受信器１０１は、受信した送信許可を、信号処理部１０８へ出力する。信号処理部１０８の時刻形式変換部１１０は、光回線送受信器１０１が出力した送信許可を取得する。
【００４４】
（ステップＳ４１１）  信号処理部１０８の時刻形式変換部１１０は、光回線送受信器１０１が出力した送信許可を取得し、取得した送信許可に含まれるＯＮＵ２００の送信時刻を示す情報を、第２の時刻形式から、第１の時刻形式へ変更する。時刻形式変換部１１０は、第１の時刻形式へ変更したＯＮＵ２００の送信時刻を示す情報を、送信許可部１０９へ出力する。送信許可部１０９は、時刻形式変換部１１０が出力した第１の時刻形式へ変更したＯＮＵ２００の送信時刻を示す情報を取得し、取得した第１の時刻形式のＯＮＵ２００の送信時刻を示す情報に基づいて、到着時刻を算出し、算出した到着時刻を設定する。時刻形式変換部１１０は、設定した到着時刻を、第１の時刻形式から、第２の時刻形式へ変換する。時刻形式変換部１１０は、第２の時刻形式へ変換した到着時刻を示す情報を含む送信許可を、光回線送受信器１０１へ出力する。光回線送受信器１０１は、時刻形式変換部１１０が出力した送信許可を、ＯＮＵ２００へ送信する。
その後、ＯＮＵ２００の光回線送受信器２０１は、ＯＬＴ１００が送信した送信許可を受信し、受信した送信許可を、ＡＰ３００へ出力する。ＡＰ３００は、ＯＮＵ２００が送信した送信許可を受信し、受信した送信許可に含まれる到着時刻を示す情報を、第２の時刻形式から、第１の時刻形式へ変換する。ＡＰ３００は、第１の時刻形式へ変換した到着時刻を設定する。ＡＰ３００は、第１の時刻形式へ変換した到着時刻に、ＵＥ４００が送信した上り信号が到着するように、ＵＥ４００の上り信号の送信時刻を設定する。ＡＰ３００は、設定したＵＥ４００の上り信号の送信時刻を示す情報を、第１の時刻形式から、ＵＥ４００で解釈可能な第３の時刻形式へ変換する。ＡＰ３００は、第３の時刻形式へ変換したＵＥ４００の送信時刻を示す情報を含む送信許可を、ＵＥ４００へ送信する。
図６に示されるフローチャートにおいて、ステップＳ４０１−Ｓ４０３の処理と、ステップＳ４０４−Ｓ４０６の処理とは、順序を逆にしてもよいし、並行して行われてもよい。
【００４５】
図７は、第二の実施形態に係る通信システムの動作の一例を示すシーケンスチャートである。
ステップＳ５０１は、図３のステップＳ２０１を適用できる。
（ステップＳ５０２）  ＡＰ３００の無線送受信器３０１は、ＵＥが送信した送信要求を受信し、受信した送信要求を、信号処理部３０８へ出力する。信号処理部３０８の送信許可部３０９は、無線送受信器３０１が出力した送信要求を取得し、取得した送信要求に基づいて、時刻配信網と同期した第１の時刻形式で、ＯＮＵ２００の送信時刻を設定する。送信許可部３０９は、第１の時刻形式で設定したＯＮＵ２００の送信時刻を示す情報を、時刻形式変換部３１０へ出力する。
（ステップＳ５０３）  ＡＰ３００の時刻形式変換部３１０は、送信許可部３０９が出力した第１の時刻形式で設定したＯＮＵ２００の送信時刻を示す情報を取得し、取得した第１の時刻形式のＯＮＵ２００の送信時刻を示す情報に基づいて、ＯＮＵ２００の送信時刻を、第１の時刻形式から、第２の時刻形式へ変換する。
（ステップＳ５０４）  時刻形式変換部３１０は、第２の時刻形式へ変換したＯＮＵ２００の送信時刻を示す情報を含む送信許可を、ＯＮＵ２００へ出力する。
（ステップＳ５０５）  ＯＮＵ２００は、ＡＰ３００が送信した送信許可を受信し、受信した送信許可を、ＯＬＴ１００へ転送する。
【００４６】
（ステップＳ５０６）  ＯＬＴ１００の光回線送受信器１０１は、ＯＮＵ２００が転送した送信許可を受信し、受信した送信許可を、信号処理部１０８へ出力する。信号処理部１０８の時刻形式変換部１１０は、光回線送受信器１０１が出力した送信許可を取得し、取得した送信許可に含まれる第２の時刻形式のＯＮＵ２００の送信時刻を示す情報に基づいて、送信時刻を第２の時刻形式から、第１の時刻形式へ変換する。時刻形式変換部１１０は、第１の時刻形式へ変換したＯＮＵ２００の送信時刻を示す情報を、送信許可部１０９へ出力する。
（ステップＳ５０７）  ＯＬＴ１００の送信許可部１０９は、時刻形式変換部１１０が出力した第１の時刻形式のＯＮＵ２００の送信時刻を示す情報に基づいて、到着時刻を算出し、算出した到着時刻を設定する。
（ステップＳ５０８）  ＯＬＴ１００の送信許可部１０９は、設定した到着時刻を示す情報を、時刻形式変換部１１０へ出力する。時刻形式変換部１１０は、送信許可部１０９が出力した到着時刻を示す情報を取得し、取得した到着時刻を示す情報を、第１の時刻形式から、第２の時刻形式へ変換する。
（ステップＳ５０９）  ＯＬＴ１００の時刻形式変換部１１０は、第２の時刻形式へ変換した到着時刻を示す情報を含む送信許可を、光回線送受信器１０１へ出力する。光回線送受信器１０１は、時刻形式変換部１１０が出力した送信許可を、ＯＮＵ２００へ送信する。
（ステップＳ５１０）  ＯＮＵ２００の光回線送受信器２０１は、ＯＬＴ１００が送信した送信許可を受信し、受信した送信許可を、ＡＰ３００へ出力するとともに、送信スケジューラ２０２へ出力する。送信スケジューラ２０２は、光回線送受信器２０１が出力した送信許可に含まれる到着時刻を示す情報に基づいて、上り信号が到着する時刻を設定する。
【００４７】
（ステップＳ５１１）  ＡＰ３００の信号処理部３０８は、ＯＮＵ２００が出力した送信許可を取得する。信号処理部３０８の時刻形式変換部３１０は、ＯＮＵ２００が出力した送信許可を取得し、取得した送信許可に含まれる到着時刻を示す情報を、第２の時刻形式から、第１の時刻形式へ変換する。時刻形式変換部３１０は、第１の時刻形式へ変換した上り信号が到着する時刻を示す情報を、送信許可部３０９へ出力する。
（ステップＳ５１２）  送信許可部３０９は、時刻形式変換部３１０が出力した到着時刻を示す情報を取得し、到着時刻を示す情報に基づいて、その到着時刻に、ＵＥ４００が送信した上り信号が到着するように、ＵＥ４００の上り信号の送信時刻を設定する。送信許可部３０９は、設定したＵＥ４００の上り信号の送信時刻を示す情報を、時刻形式変換部３１０へ出力する。
（ステップＳ５１３）  時刻形式変換部３１０は、送信許可部３０９が出力したＵＥ４００の上り信号の送信時刻を示す情報を、第１の時刻形式から、ＵＥ４００で解釈可能な第３の時刻形式へ変換する。時刻形式変換部３１０は、第３の時刻形式へ変換したＵＥ４００の上り信号の送信時刻を示す情報を、無線送受信器３０１へ出力する。
（ステップＳ５１４）  ＡＰ３００の無線送受信器３０１は、時刻形式変換部３１０が出力した第３の時刻形式へ変換したＵＥ４００の上り信号の送信時刻を示す情報を取得し、取得した第３の時刻形式のＵＥ４００の上り信号の送信時刻を示す情報を、ＵＥ４００へ送信する。
本実施形態によれば、ＡＰ３００が設定したＯＮＵ２００の送信時刻にしたがって、ＯＬＴ１００が、ＯＮＵ２００の送信時刻を設定する。ＯＬＴ１００は、第１の時刻形式へ変換したＯＮＵ２００の送信時刻を示す情報に基づいて、ＯＮＵ２００に、ＵＥ４００が送信した上り信号が到着する時刻（到着時刻）を算出し、算出した到着時刻を設定する。そして、ＡＰ３００は、到着時刻に、ＵＥ４００が送信した上り信号が到着するように、ＵＥ４００の上り信号の送信時刻を設定する。このように構成することによって、ＵＥ４００が送信した上り信号の遅延を低減することができる。
【００４８】
上述した実施形態に係るＯＬＴ１００、ＯＮＵ２００、ＡＰ３００、及びＵＥ４００をコンピュータで実現するようにしてもよい。その場合、この機能を実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよく、ＦＰＧＡ(Field Programmable Gate Array)等のプログラマブルロジックデバイスを用いて実現されるものであってもよい。
以上、この発明の実施形態について図面を参照して詳述してきたが、具体的な構成はこの実施形態に限られるものではなく、この発明の要旨を逸脱しない範囲の設計等も含まれる。
前述した第一の実施形態及び第二の実施形態において、送信許可部１０３、及び送信許可部１０９はＯＬＴ送信許可部の一例であり、時刻形式変換部１０５、及び時刻形式変換部１１０はＯＬＴ時刻形式変換部の一例であり、時刻形式変換部３０４、及び時刻形式変換部３１０はＡＰ時刻形式変換部の一例であり、送信許可部３０３、及び送信許可部３０９はＡＰ送信許可部の一例である。
【符号の説明】
【００４９】
１０、１００…加入者線端局装置，  ５０…光ファイバ，  １１、２１、１０１、２０１…光回線送受信器，  １２…信号処理部，  １３…ワイヤードロジック部，  １４…第一の中央演算処理部，  １６…第一の送信許可プログラム、  ２０、２００…加入者線終端装置，  ２２、２０２…送信スケジューラ，  ３０、３００…無線回線終端装置，  ３１…第二の中央演算処理部，  ３２…第二の送信許可プログラム，  ３３、３０１…無線送受信器，  ３４、１０８、３０８…信号処理部，  ４０、４００…ユーザ端末装置，  ４１、４０１…無線送受信器，  ４２、４０２…送信スケジューラ，  １０２、３０２…信号処理部，  １０３、３０３、１０９、３０９…送信許可部，  １０４、３０４、１１０、３１０…時刻形式変換部，  １０６、３０６…記憶部，  １０７、３０７、１１１、３１１…プログラム，  １０００…通信システム
【図１】
2019029712.tif 000003
【図２】
2019029712.tif 000004
【図３】
2019029712.tif 000005
【図４】
2019029712.tif 000006
【図５】
2019029712.tif 000007
【図６】
2019029712.tif 000008
【図７】
2019029712.tif 000009
【図８】
2019029712.tif 000010